(57)【要約】【課題】排水ポンプのエア噛みなどによって発生する騒音を低減すること。【解決手段】排水ポンプ４０は、吐出側筒部４６に、排水ホース４７へ排水された水が排水ポンプ４０へ逆流するのを遮断するように構成された逆止弁を設けることにより、排水ポンプ４０から排出された水が機外へ排出できずに逆流して戻る場合に、排水ポンプ４０内に入るのを防ぎ、水を排水ホース４７内に残留させるので、排水ポンプ４０の水によるエア噛み音などの騒音を低減することができる。【選択図】図１
2013094214.tif 000002
【特許請求の範囲】
【請求項１】
洗濯機本体内に弾性的に支持した水受け槽と、前記水受け槽に回転自在に内包された洗濯物を収納するドラムと、前記水受け槽から排水するための排水ポンプと、前記排水ポンプの吐出側筒部に接続され、前記排水ポンプより上方高所へ排水する排水ホースとを備え、前記排水ポンプは、吐出側筒部に、前記排水ホースへ排水された水が前記排水ポンプへ逆流するのを遮断する逆止弁を設けた洗濯機。
【請求項２】
前記排水ホースは、前記逆止弁より下流側の下端部に略Ｓ字形状に屈曲したＳ字形状部を有する請求項１に記載の洗濯機。
【発明の詳細な説明】
【技術分野】
【０００１】
本発明は、洗濯水を高所に排出することのできる排水ポンプ付の洗濯機に関するものである。
【背景技術】
【０００２】
従来、この種の洗濯機においては、排水工程中に、排水ポンプにエア噛みが生じて騒音が発生する対策として、排水終了後の脱水工程開始時に、一定時間だけ排水ポンプの駆動をオフ状態にすることによって、排水ポンプでのエア噛みを解消する方法が提案されている。（例えば、特許文献１参照）。
【０００３】
図３は、特許文献１に記載された従来の全自動洗濯機の縦断面図を示すものである。
【０００４】
図３において、洗濯水を溜めるための外槽１０３が、外枠１０１からスプリング付の吊り棒（図示せず）で垂下防振支持され、外槽１０３内には、洗濯物を収容するための内槽１０４が回転自在に設けられている。外槽１０３の底部には、洗濯水を機外へ排出するための排水口１０９が形成されており、排水口１０９は、排水ポンプ１１０の吸込口に接続管１１１を介して連通されている。排水ポンプ１１０の吐出口には、機外へとつながる排水ホース１１３が接続されており、排水ポンプ１１０を駆動することにより、外槽１０３内に溜められた洗濯水を排水口１０９、接続管１１１、排水ポンプ１１０、排水ホース１１３を通じて、機外へ排水できる。
【０００５】
また外槽１０３の底部には、エアートラップ１１４が設けられ、エアホース１１６を通じて水位センサ１１５へとつながっており、水位センサ１１５は、エアートラップ１１４内の空気圧の変化を電気信号に変化させて、外槽１０３の水位を検出することができる。
【０００６】
また外槽１０３の下部には、モータ１１８が設けられ、機構駆動部１１７を介して内槽１０４を回転させるようになっている。
【０００７】
以上の構成で、排水工程時には、排水ポンプ１１０が駆動された後に、排水が開始される。そして、外槽１０３内の水位が、水位センサ１１５で検出可能な下限水位まで下がったことが検出された後に、カウントされた洗濯水位から上記下限水位までの排水時間により、あと何秒で外槽１０３内の洗濯水が無くなるかを推定した排水追加時間を設定し、その排水追加時間が経過した後、モータ１１８を駆動させて、脱水工程が行われる。
【０００８】
この時、排水追加時間内に外槽１０３内の洗濯水が無くなると、排水ポンプ１１０がエアを吸い込んで、エア噛み現象が生じてしまい、うまく排水できなくなることがある。そのため、脱水工程の開始後に、排水ポンプ１１０の駆動を所定の短時間（たとえば２〜４秒）停止することにより、排水ポンプ１１０内に水を溜めて、排水ポンプ１１０に流入したエアを排出し、エア噛み現象を解消するようになっている。
【先行技術文献】
【特許文献】
【０００９】
【特許文献１】特開２０００−１４９６４号公報
【発明の概要】
【発明が解決しようとする課題】
【００１０】
しかしながら、前記従来の構成では、洗濯機の設置環境は多様であり、排水ホースの先端が高い位置にある場合や、低い位置にある場合があり、排水工程が進んでくると、排水ホースの先端高さにより、排水ポンプ内に残っている水の量が大きくばらつくことになり、特に、少量の水が排水ポンプ内に残っている場合に、特に排水ホースの先端が高い位置にある時に、水が排水ポンプから押し出されて、再び排水ポンプ内に戻ってくるときの水の流動による騒音と、少量の水が空気とともに排水ポンプ内で掻き揚げられるエア噛みの騒音が、ホースを通じて機外へ伝わるという課題があった。
【００１１】
本発明は、上記従来の課題を解決するもので、排水ポンプ付きの洗濯機において、ホース先端の高さ位置にかかわらず、発生する排水ポンプの騒音を低減することのできる洗濯機を提供することを目的としている。
【課題を解決するための手段】
【００１２】
前記従来の課題を解決するために、本発明の洗濯機は、洗濯機本体内に弾性的に支持した水受け槽と、前記水受け槽に回転自在に内包された洗濯物を収納するドラムと、前記水受け槽から排水するための排水ポンプと、前記排水ポンプの吐出側筒部に接続され、前記排水ポンプより上方高所へ排水する排水ホースとを備え、前記排水ポンプは、吐出側筒部に、前記排水ホースへ排水された水が前記排水ポンプへ逆流するのを遮断する逆止弁を設けたものである。
【００１３】
これによって、排水ポンプ内から排出された少量の排水が逆流して排水ポンプ内に戻ることを抑止し、エア噛み音などの騒音を低減することができる。
【発明の効果】
【００１４】
本発明の洗濯機は、発生する排水ポンプの騒音を低減することができる。
【図面の簡単な説明】
【００１５】
【図１】本発明の実施の形態１における洗濯機の縦断面図
【図２】本発明の実施の形態２における洗濯機の縦断面図
【図３】従来の洗濯機の縦断面図
【発明を実施するための形態】
【００１６】
第１の発明は、洗濯機本体内に弾性的に支持した水受け槽と、前記水受け槽に回転自在に内包された洗濯物を収納するドラムと、前記水受け槽から排水するための排水ポンプと、前記排水ポンプの吐出側筒部に接続され、前記排水ポンプより上方高所へ排水する排水ホースとを備え、前記排水ポンプは、吐出側筒部に、前記排水ホースへ排水された水が前記排水ポンプへ逆流するのを遮断する逆止弁を設けたことにより、排水時の水が、排水ポンプ内に逆流することを抑止し、排水ポンプの水によるエア噛み音などの騒音を低減することができる。
【００１７】
第２の発明は、特に、第１の発明の排水ホースは、前記逆止弁より下流側の下端部に略Ｓ字形状に屈曲したＳ字形状部を有することにより、排水時の水が、排水ポンプ内に逆流することを抑止し、排水ポンプの水によるエア噛み音などの騒音を低減することができるとともに、排水ポンプから機外へ漏れ出る騒音も低減することができる。
【００１８】
以下、発明の実施の形態について、図面を参照しながら説明する。また、この実施の形態によって本発明が限定されるものではない。
【００１９】
（実施の形態１）
図１は、本発明の実施の形態１における洗濯機の縦断面図を示すものである。
【００２０】
図１において、洗濯機本体３０内に水受け槽３１がサスペンション（図示せず）等により、弾性的に支持され、水受け槽３１に回転自在に内包されたドラム３２は、外周壁に多数の小孔４１と内周壁に衣類攪拌用の突起４２を構成し、さらに、後方に水平方向から傾斜した回転軸３３を介して、水受け槽３１の外壁に固着したモータ３４によって回転駆動される。
【００２１】
水受け槽３１には、上部に給水弁３５から洗濯水を給水する給水ホース３６を接続し、下部に形成した排水口３７には、蛇腹管３９を介して、内部に羽根車４９を有する排水ポンプ４０に接続する。
【００２２】
水受け槽３１の排水口３７近傍には、エアートラップ４３を介して水位センサ４４を配し、水位センサ４４は、エアートラップ４３内の空気圧の変化を電気信号に変化させて、水受け槽３１内部に給水される洗濯水の水位（水量）を検知する。
【００２３】
洗濯機本体３０の内方下部には、制御手段４５が配置され、制御手段４５は、給水弁３５、モータ３４、排水ポンプ４０等を制御するとともに、洗い、すすぎ、脱水などの各工程の制御を行う。また、水位センサ４４にて検知する水受け槽３１の水位データは、制御手段４５に逐次入力される。
【００２４】
排水ポンプ４０は、吐出側に形成した吐出側筒部４６を排水ホース４７に接続し、さらに機外排水ホース部４８を介して、水受け槽３１内部の洗濯水を高所に排水する。
【００２５】
また、排水ポンプ４０の吐出側筒部４６内には、排水ポンプ４０から排出された水が、機外へ排出できずに逆流して排水ポンプ４０へ戻るのを遮断するように構成された逆止弁５０が配されている。逆止弁５０は、例えば、ダックビルと呼ばれる形状のものであってもよい。
【００２６】
以上の構成により、排水時の、特に水が少なくなってきて、排水ポンプ４０から排出された水が機外へ排出できずに逆流して戻る場合に、排水ポンプ４０内に入るのを防ぎ、水を排水ホース４７内に残留させることになる。
【００２７】
これにより、排水ポンプ４０内に逆流した水が、羽根車４９により、何度も排水ホース４７内へ持ち揚げられては、また排水ポンプ４０に戻るという動きをすることによって発生するエア噛み音などの騒音を低減することができる。
【００２８】
（実施の形態２）
図２は、本発明の実施の形態２における洗濯機の縦断面図を示すものである。なお、図２に示す符号の３０から５０までの部位は、図１の実施の形態１と同じであるので説明を省略する。
【００２９】
図２において、排水ポンプ４０の吐出側に形成した吐出側筒部４６内に配された逆止弁５０の下流側の排水ホース５３下端には、横方向に略Ｓ字形状に屈曲されたＳ字形状部５１が形成されている。そして、排水ホース５３は、Ｓ字形状部５１から上方に配されている。
【００３０】
以上の構成により、排水時の、特に水が少なくなってきた時に、排水ポンプ４０より排出された水は、逆止弁５０によって排水ポンプ４０内に逆流して戻らず、その水は、排水ホース５３の下端の横方向に形成したＳ字形状部５１下部に溜まることになる。
【００３１】
これにより、排水ポンプ４０内に逆流した水が、羽根車４９により、何度も排水ホース５３内へ持ち揚げられては、また排水ポンプ４０に戻るという動きをすることによって発生するエア噛み音などの騒音を低減することができると同時に、従来は、排水ポンプ４０内の騒音が、ホースを通じて機外に漏れ出ていたが、Ｓ字形状部５１の下部に水が満たされると、排水ポンプ４０と機外との空気層が水の層で遮られるため、機外に漏れ出る騒音を低減することができる。
【００３２】
なお、本実施の形態２においては、排水ホース５３下端に形成したＳ字形状部５１の上流側に逆止弁５０を配したが、Ｓ字形状部５１を設けるだけでも、排水ポンプ４０に逆流しようとする水を、このＳ字形状部５１に溜めることにより、騒音を低減できるとともに、機外へ漏れ出る騒音も低減することができる。
【産業上の利用可能性】
【００３３】
以上のように、本発明にかかる洗濯機は、排水ポンプの吐出側に逆止弁を設けることにより、排水ポンプのエア噛み音などの騒音を低減すること可能となるので、排水ポンプを有する他の洗濯機などの用途に適用できる。
【符号の説明】
【００３４】
３０  洗濯機本体
３１  水受け槽
３２  ドラム
３４  モータ
４０  排水ポンプ
４５  制御手段
４６  吐出側筒部
４７  排水ホース
５０  逆止弁
５１  Ｓ字形状部
５３  排水ホース
【図１】
2013094214.tif 000003
【図２】
2013094214.tif 000004
【図３】
2013094214.tif 000005